(57)【要約】【課題】  一つの撮影スイッチを使用して各々独立的に駆動される第１及び第２撮像部が撮像した画像をそれに対応する第１及び第２記録媒体に保存する複合撮影装置及び方法を提供する。【解決手段】  本複合撮影装置は、本体、本体に位置変更可能に設置された複合撮像部、第１及び第２信号処理部、第１及び第２記録媒体、複合撮像部の位置変更によって、選択された撮像部に対応される動作モード信号を出力するモード選択スイッチ部、撮影遂行信号を出力する撮影スイッチ及び撮影遂行信号を受信すると、第１及び第２フォーマットの信号を各々第１及び第２記録媒体に保存されるように制御する制御部を含む。【選択図】    図２
2004350262.tif 000002
【特許請求の範囲】
【請求項１】
本体；
前記本体に位置変更可能に設置され、第１レンズ部を通して結像した光学像を電気的な第１信号に光電変換させる第１撮像部及び第２レンズ部を通して結像した光学像を電気的な第２信号に光電変換させる第２撮像部を備える複合撮像部と、
前記第１信号を所定の第１フォーマットの信号に圧縮する第１信号処理部と、
前記第２信号を所定の第２フォーマットの信号に圧縮する第２信号処理部と、
前記第１フォーマットの信号を保存する第１記録媒体と、
前記第２フォーマットの信号を保存する第２記録媒体と、
前記複合撮像部の位置変更に応じて、前記第１及び第２撮像部のうち、いずれか一つを選択して、対応される動作モード信号を出力するモード選択スイッチ部と、
前記第１及び第２フォーマットの信号のうち、いずれかを各々第１及び第２記録媒体のうち対応されるいずれか一つに保存されるようにするための撮影遂行信号を出力する撮影スイッチと、
前記撮影遂行信号を受信すると、前記動作モード信号に基づいて前記第１及び第２撮像部のうち対応されるいずれか一つを動作させ、前記第１及び第２フォーマットの信号のうち、いずれか一つが第１及び第２記録媒体のうち対応されるいずれか一つに保存されるように制御する制御部と、
を含むことを特徴とする複合撮影装置。
【請求項２】
前記第１及び第２信号処理部、前記第１及び第２記録媒体、前記撮影スイッチ、及び前記制御部は、前記本体に備えられることを特徴とする請求項１に記載の複合撮影装置。
【請求項３】
前記複合撮像部は、前記本体に対して回転可能に設置され、前記複合撮像部の回転角度に応じて前記動作モード信号が決定されることを特徴とする請求項１または請求項２に記載の複合撮影装置。
【請求項４】
選択された動作モードに関する情報を前記制御部から受信してディスプレイするディスプレイ部をさらに含むことを特徴とする請求項１に記載の複合撮影装置。
【請求項５】
前記第１撮像部は、停止画を撮像して前記第１信号に光電変換させるデジタルスチルカメラ用撮像部であることを特徴とする請求項１に記載の複合撮影装置。
【請求項６】
前記デジタルスチルカメラ用撮像部は、プログレッシブスキャン方式を使用することを特徴とする請求項５に記載の複合撮影装置。
【請求項７】
前記第２撮像部は、動画を含む画像を撮像して前記第２信号に光電変換させるデジタルビデオカムコーダ用撮像部であることを特徴とする請求項１に記載の複合撮影装置。
【請求項８】
前記デジタルビデオカムコーダ用撮像部は、インターレーススキャン方式を使用することを特徴とする請求項７に記載の複合撮影装置。
【請求項９】
前記第１フォーマットは、ＪＰＥＧフォーマットであることを特徴とする請求項１に記載の複合撮影装置。
【請求項１０】
前記第２フォーマットは、ＤＶフォーマットであることを特徴とする請求項１に記載の複合撮影装置。
【請求項１１】
前記第１記録媒体は、内蔵型メモリであることを特徴とする請求項１に記載の複合撮影装置。
【請求項１２】
前記第１記録媒体は、着脱式ＩＣメモリカードであることを特徴とする請求項１に記載の複合撮影装置。
【請求項１３】
前記第２記録媒体は、磁気テープであることを特徴とする請求項１に記載の複合撮影装置。
【請求項１４】
前記第１レンズ部は、前記複合撮像部が前記本体に対して回転することに対応して、第１同心円に沿って回転することを特徴とする請求項３に記載の複合撮影装置。
【請求項１５】
前記第１撮像部は、前記第１レンズ部が前記第１同心円に沿って回転することに対応して、第２同心円に沿って回転することを特徴とする請求項１４に記載の複合撮影装置。
【請求項１６】
前記第２レンズ部は、前記第１レンズ部が前記第１同心円に沿って回転することに対応して、第３同心円に沿って回転することを特徴とする請求項１５に記載の複合撮影装置。
【請求項１７】
前記第２撮像部は、前記第２レンズ部が前記第３同心円に沿って回転することに対応して、第４同心円に沿って回転することを特徴とする請求項１６に記載の複合撮影装置。
【請求項１８】
本体と、前記本体に位置変更可能に設置され、第１レンズ部を通して結像した光学像を電気的な第１信号に光電変換させる第１撮像部及び第２レンズ部を通して結像した光学像を電気的な第２信号に光電変換させる第２撮像部を備える複合撮像部との複合撮影方法において、
（ａ）画像を撮影するための撮影遂行命令を検出するステップと、
（ｂ）前記（ａ）ステップにおいて、前記撮影遂行命令を検出すると、前記複合撮像部の位置変更に応じて、前記第１及び第２撮像部のうち、いずれか一つを選択して第１及び第２動作モードのうち対応されるいずれか一つを検出するステップと、
（ｃ）前記（ｂ）ステップにおいて、前記第１動作モードを検出すると、前記第１レンズ部を通して結像した光学像を電気的な第１信号に光電変換させ、所定の第１フォーマットの信号に圧縮して第１記録媒体に保存し、前記第２動作モードを検出すると、前記第２レンズ部を通して結像した光学像を電気的な第２信号に光電変換させ、所定の第２フォーマットの信号に圧縮して第２記録媒体に保存するステップと
を含むことを特徴とする複合撮影方法。
【請求項１９】
前記（ｂ）ステップは、
検出された動作モードに関する情報をディスプレイするステップをさらに含むことを特徴とする請求項１８に記載の複合撮影方法。
【請求項２０】
前記（ｂ）ステップは、
前記複合撮像部が前記本体に対して回転可能に設置され、前記複合撮像部の回転角度に応じて前記動作モードが検出されることを特徴とする請求項１８に記載の複合撮影方法。
【請求項２１】
前記第１撮像部は、停止画を撮影して前記第１信号に光電変換させるデジタルスチルカメラ用撮像部であることを特徴とする請求項１８に記載の複合撮影方法。
【請求項２２】
前記デジタルスチルカメラ用撮像部は、プログレッシブスキャン方式を使用することを特徴とする請求項２１に記載の複合撮影方法。
【請求項２３】
前記第２撮像部は、動画を含む画像を撮影して前記第２信号に光電変換させるデジタルビデオカムコーダ用撮像部であることを特徴とする請求項１８に記載の複合撮影方法。
【請求項２４】
前記デジタルビデオカムコーダ用撮像部は、インターレーススキャン方式を使用することを特徴とする請求項２３に記載の複合撮影方法。
【請求項２５】
前記第１フォーマットは、ＪＰＥＧフォーマットであることを特徴とする請求項１８に記載の複合撮影方法。
【請求項２６】
前記第２フォーマットは、ＤＶフォーマットであることを特徴とする請求項１８に記載の複合撮影方法。
【請求項２７】
前記第１記録媒体は、内蔵型メモリであることを特徴とする請求項１８に記載の複合撮影方法。
【請求項２８】
前記第１記録媒体は、着脱式ＩＣメモリカードであることを特徴とする請求項１８に記載の複合撮影方法。
【請求項２９】
前記第２記録媒体は、磁気テープであることを特徴とする請求項１８に記載の複合撮影方法。
【発明の詳細な説明】
【技術分野】
【０００１】
本発明は、複合撮影装置及び方法に関し、さらに詳細には各々独立的に駆動される第１及び第２撮像部が撮像した画像をそれに対応する第１及び第２記録媒体に保存する複合撮影装置及び方法に関する。
【背景技術】
【０００２】
一般に、デジタルスチルカメラ（ＤＳＣ）は、レンズを通して入射される画像をデジタル信号に変換してハードディスクまたはメモリカードのような記録媒体に保存する。すなわち、撮影された画像をフィルムなどに記録せずに前記記録媒体に保存し、スキャナーなどを利用せずに直接コンピュータにデジタルイメージを入力できる。このようなデジタルスチルカメラはパーソナルコンピューターとの互換性が高いため、編集及び修正が簡便であり、外部コンピュータと接続して撮影した画像を伝送できる。また、デジタルスチルカメラは一般カメラと同様な構造を持っているので、携帯が簡便である。すなわち、デジタルスチルカメラは、レンズ装置と、メモリ装置と、信号変調装置と、ディスプレイ装置などを具備する。しかし、このようなデジタルスチルカメラは、画像を記録する記録媒体の容量などの理由で主に停止画を撮影するのに使用する。すなわち、一部動画を撮影し得る機能を有しているが、長時間撮影が実質的に不可能である。特に、動画を撮影し再生する時、音響を共に記録し再生する装置がないので、実質的には動画を撮影して保存及び再生するには適合しない。このような点を充足するため、テープのような記録媒体に撮影される被写体の画像及び音響などを記録及び再生する記録／再生装置、例えば、カムコーダが広く普及している。
【０００３】
前記カムコーダは、レンズ装置と、信号変換装置と、撮影された画像を記録／再生するデッキ装置と、ディスプレイ装置などを具備する。このようなカムコーダは主にカセットテープを記録媒体とし、そのカセットテープをデッキ装置に装着し撮影された動画を記録する。また、カムコーダは、マイク装置とスピーカー装置とが備えられており、装着されたカセットテープに１時間以上の撮影が可能である。このようなカムコーダも停止画を撮影する機能を有しているが、上述したデジタルスチルカメラに比べて画質が落ちるので、主に動画を撮影するのに用いられる。また、カムコーダはデジタルスチルカメラより多い機能を持ち複雑な構成を持っているので、サイズが相対的に大きく高価な場合が一般的である。
【０００４】
ところが、今までは上述したように、デジタルスチルカメラとカムコーダ各々の機能を活用するためには両種類の製品を全部購入しなければならなかった。したがって、消費者には経済的な負担が多かった。また、購入後にも各々の特徴的な機能があるので、両製品を共に携帯する場合には、面倒であるという問題点がある。
【０００５】
このような問題点を解決するため、デジタルカメラとデジタルカムコーダを一つのケースに一体化したデジタルカメラ一体型カムコーダが開発されており、これはデジタルカメラ／カムコーダ、またはデュオカムと称する。
【０００６】
デュオカムで画像を撮影して保存媒体に保存するためには、一般的に互いに異なる別のボタンが必要である。すなわち、デジタルカメラで撮影した画像をメモリに保存するデジタルカメラ用撮影ボタンとデジタルカムコーダで撮影した画像をテープに保存するようにするデジタルカムコーダ用撮影ボタンが別に存在すべきである。しかし、このように別のボタンで各々の撮影動作を行う場合、ユーザはデュオカムが現在デジタルカメラモードであるか、またはデジタルカムコーダモードであるかを把握し、これに伴って各々のモードに該当する別のボタンを使用して撮影動作を行うべきであるため、不便であり、また使用されるボタンの数が増加するにしたがってセットの体積も大きくなる。
【発明の開示】
【発明が解決しようとする課題】
【０００７】
本発明は、前記のような問題点に鑑みてなされたものであって、その目的とするところは、一つの撮影スイッチを使用して各々独立的に駆動される第１及び第２撮像部が撮像した画像をそれに対応する第１及び第２記録媒体に保存する複合撮影装置及び方法を提供することである。
【課題を解決するための手段】
【０００８】
前記目的を達成するため、本発明に係る複合撮影装置は、本体；前記本体に位置変更が可能に設置され、第１レンズ部を通して結像した光学像を電気的な第１信号に光電変換させる第１撮像部及び第２レンズ部を通して結像した光学像を電気的な第２信号に光電変換させる第２撮像部を備える複合撮像部と、前記第１信号を所定の第１フォーマットの信号に圧縮する第１信号処理部と、前記第２信号を所定の第２フォーマットの信号に圧縮する第２信号処理部と、前記第１フォーマットの信号を保存する第１記録媒体と、前記第２フォーマットの信号を保存する第２記録媒体と、前記複合撮像部の位置変更によって、前記第１及び第２撮像部のうち、いずれかを選択して、対応される動作モード信号を出力するモード選択スイッチ部と、前記第１及び第２フォーマットの信号のうち、いずれかを各々第１及び第２記録媒体のうち対応されるいずれかに保存されるようにするための撮影遂行信号を出力する撮影スイッチと、前記撮影遂行信号を受信すると、前記動作モード信号に基づいて前記第１及び第２撮像部のうち対応されるいずれかを動作させ、前記第１及び第２フォーマットの信号のうち、いずれかが第１及び第２記録媒体のうち対応されるいずれかに保存されるように制御する制御部とを含む。また、前記第１及び第２信号処理部、前記第１及び第２記録媒体、前記撮影スイッチ、及び前記制御部は、前記本体に備えられることが好ましい。また、前記複合撮像部は、前記本体に対して回転可能に設置され、前記複合撮像部の回転角度によって前記動作モード信号が決定されることが可能である。
【０００９】
また、複合撮影装置は、選択された動作モードに関する情報を前記制御部から受信してディスプレイするディスプレイ部をさらに含むことが可能である。
【００１０】
また、前記第１撮像部は、停止画を撮影して前記第１信号に光電変換させるデジタルスチルカメラ用撮像部であることが可能である。また、前記デジタルスチルカメラ用撮像部は、プログレッシブスキャン方式を使用することが好ましい。
【００１１】
また、前記第２撮像部は、動画を含む画像を撮影して前記第２信号に光電変換させるデジタルビデオカムコーダ用撮像部であることが可能である。
【００１２】
また、前記デジタルビデオカムコーダ用撮像部は、インターレーススキャン方式を使用することが好ましい。
【００１３】
また、前記第１フォーマットは、ＪＰＥＧフォーマットであることが好ましい。
【００１４】
また、前記第２フォーマットは、ＤＶフォーマットであることが好ましい。
【００１５】
前記第１記録媒体は、内蔵型メモリであることが可能である。また、前記第１記録媒体は、着脱式ＩＣメモリカードであることが可能である。また、前記第２記録媒体は、磁気テープであることが可能である。
【００１６】
また、前記第１レンズ部は、前記複合撮像部が前記本体に対して回転することに対応して、第１同心円に沿って回転することが好ましい。また、前記第１撮像部は、前記第１レンズ部が前記第１同心円に沿って回転することに対応して、第２同心円に沿って回転することが好ましい。また、前記第２レンズ部は、前記第１レンズ部が前記第１同心円に沿って回転することに対応して、第３同心円に沿って回転することが好ましい。また、前記第２撮像部は、前記第２レンズ部が前記第３同心円に沿って回転することに対応して、第４同心円に沿って回転することが好ましい。
【００１７】
また、本発明による本体及び前記本体に位置変更可能に設置され、第１レンズ部を通して結像した光学像を電気的な第１信号に光電変換させる第１撮像部及び第２レンズ部を通して結像した光学像を電気的な第２信号に光電変換させる第２撮像部を備える複合撮像部の複合撮影方法において、（ａ）画像を撮影するための撮影遂行命令を検出するステップと、（ｂ）前記（ａ）ステップにおいて、前記撮影遂行命令を検出すると、前記複合撮像部の位置変更によって、前記第１及び第２撮像部のうち、いずれかを選択して第１及び第２動作モードのうち対応されるいずれかを検出するステップと、（ｃ）前記（ｂ）ステップにおいて、前記第１動作モードを検出すると、前記第１レンズ部を通して結像した光学像を電気的な第１信号に光電変換させ、所定の第１フォーマットの信号に圧縮して第１記録媒体に保存し、前記第２動作モードを検出すると、前記第２レンズ部を通して結像した光学像を電気的な第２信号に光電変換させ、所定の第２フォーマットの信号に圧縮して第２記録媒体に保存するステップとを含む。
【００１８】
また、前記（ｂ）ステップは、検出された動作モードに関する情報をディスプレイするステップをさらに含むことが可能である。
【００１９】
また、前記（ｂ）ステップは、前記複合撮像部が前記本体に対して回転可能に設置され、前記複合撮像部の回転角度によって前記動作モードが検出されることが可能である。
【００２０】
また、前記第１撮像部は、停止画を撮影して前記第１信号に光電変換させるデジタルスチルカメラ用撮像部であることが可能である。また、前記デジタルスチルカメラ用撮像部は、プログレッシブスキャン方式を使用することが好ましい。
【００２１】
また、前記第２撮像部は、動画を含む画像を撮影して前記第２信号に光電変換させるデジタルビデオカムコーダ用撮像部であることが可能である。また、前記デジタルビデオカムコーダ用撮像部は、インターレーススキャン方式を使用することが好ましい。
【００２２】
また、前記第１フォーマットは、ＪＰＥＧフォーマットであることが好ましい。また、前記第２フォーマットは、ＤＶフォーマットであることが好ましい。
【００２３】
また、前記第１記録媒体は、内蔵型メモリであることが可能である。また、前記第１記録媒体は、着脱式ＩＣメモリカードであることが可能である。前記第２記録媒体は、磁気テープであることが可能である。
【発明の効果】
【００２４】
以上説明した通り、本発明によると、一つの撮影スイッチで各々独立的に駆動される第１及び第２撮像部が撮像した画像をそれに対応する第１及び第２記録媒体に保存することができるので、ユーザが複合撮像装置で画像を撮影するにおいて、現在作動されるモードをいちいち確認して撮影スイッチを別に使用すべき不便を解消でき、なお撮影スイッチの個数を減少することによって撮影装置の体積も低減することができ、携帯用製品の小型化傾向にも符合する。
【発明を実施するための最良の形態】
【００２５】
以下、本発明の最も好ましい実施例を図面を参照しながら詳細に説明する。
【００２６】
図１は、本発明の実施例に係る複合撮影装置の斜視図であり、図２は、本発明の実施例に係る複合撮影装置のブロック図である。図１及び図２を参照すると、複合撮影装置（デュオカム）は、本体１００、本体１００に接続する複合撮像部２００及びモード選択スイッチ部３００から構成される。
【００２７】
図２を参照すると、複合撮像部２００は、ＤＳＣ（デジタルスチルカメラ）レンズ部２１１、ＤＳＣ撮像部２２１、ＤＳＣレンズ駆動部２３１、ＤＶＣ（Ｄｉｇｉｔａｌ  Ｖｉｄｅｏ  Ｃａｍｃｏｒｄｅｒ：デジタルビデオカムコーダ）レンズ部２１２、ＤＶＣ撮像部２２２及びＤＶＣレンズ駆動部２３２を備える。ＤＳＣレンズ部２１１及びＤＳＣ撮像部２２１とＤＶＣレンズ部２１２及びＤＶＣ撮像部２２２とは、撮像する画像の種類が異なる可能性があるため、各々独立的に駆動される。一方、図１を参照すると、複合撮像部２００にはバッテリー６０が着脱可能に装着されるバッテリー装着部２２が設けられる。
【００２８】
図２を参照すると、ＤＳＣレンズ駆動部２３１はＤＳＣ制御部１４２の制御によってＤＳＣレンズ部２１１を駆動させる。ＤＳＣレンズ部２１１を通して結像された光学像はＤＳＣ撮像部２２１で電気的な信号に光電変換され、変換された前記信号はＤＳＣ信号処理ブロック１１１に伝送される。ＤＳＣ撮像部２２１は、プログレッシブ（順次）スキャン方式でデータを読み出すが、これはプログレッシブスキャン方式が停止画データを処理するのに適合した方式であるためである。プログレッシブスキャン方式は、一つのフレームをフィールドに分けずに一度に取る方式であって、停止画を捕獲した時非常に繊細な画面を得ることができる。
【００２９】
ＤＶＣレンズ駆動部２３２は、メイン制御部１４１の制御によってＤＶＣレンズ部２１２を駆動させる。ＤＶＣレンズ部２１２を通して結像された光学像はＤＶＣ撮像部２２２で電気的な信号に光電変換され、変換された前記信号は、ＤＶＣ信号処理ブロック１１２に伝送される。ＤＶＣ撮像部２２２は、インターレーススキャン方式により各々のセルに蓄積された電荷を読み出すが、インターレーススキャン方式は一つのフレームの画像情報を１／６０秒単位に奇数フィールドと偶数フィールドに交互に読む方式であって、動画の撮影に主に用いられる。一方、速く移動する物体を捕獲すると、画像に動物体が水平へ細い線で交差して現れることが見られるが、これは物体の移動が１／６０秒間の差で生じる位相の差となる。この場合、フィルタを使用して水平線をなくすことが可能である。
【００３０】
図３Ａないし図３Ｅは、複合撮像部を説明するための図面である。複合撮像部２００はユーザの操作により、本体１００の側面からＺ軸を中心として少なくとも１８０度以上回転可能に設置される。本体１００に対した複合撮像部２００の回転角度に応じて複合撮像部２００に備えられたＤＳＣ撮像部２２１及びＤＶＣ撮像部２２２のうち、いずれか一つが撮像を行うが、具体的にＸ軸の左側を基準として上下４５度角度の範囲内（Ｒ）に位置する撮像部が撮像を行う。
【００３１】
図３Ａないし図３Ｅにはユーザが複合撮像部２００を時計方向に４５度ずつ回転させる間に現れる複合撮像部２００の位置を各々示した。図３Ａ及び図３Ｂを参照すると、複合撮像部２００に内蔵されているＤＳＣレンズ部２１１、ＤＳＣ撮像部２２１、ＤＶＣレンズ部２１２及びＤＶＣ撮像部２２２を点線で示したが、ＤＳＣレンズ部２１１及びＤＳＣ撮像部２２１がＸ軸の左側を基準として上下４５度角度の範囲内に位置しているため、ＤＳＣ撮像部２２１が撮像を行うＤＳＣ動作モードで作動する。図３Ｃを参照すると、ＤＳＣレンズ部２１１及びＤＳＣ撮像部２２１がＹ軸の上側を基準として左右４５度角度の範囲内に位置するが、この場合、複合撮像部２００内でＤＳＣレンズ部２１１及びＤＳＣ撮像部２２１の反対側に対称的に位置したＤＶＣレンズ部２１２及びＤＶＣ撮像部２２２は、Ｙ軸の下方を基準として左右４５度角度の範囲内に位置する。したがって、Ｘ軸の左側を基準として上下４５度角度の範囲内（Ｒ）に位置するレンズ部及び撮像部が存在しないため、この場合にはいずれの撮像部も撮像を行わない。
【００３２】
図３Ｄ及び図３Ｅを参照すると、ＤＳＣレンズ部２１１及びＤＳＣ撮像部２２１がＸ軸の右側を基準として上下４５度角度の範囲内に位置するようになるが、この場合、ＤＶＣレンズ部２１２及びＤＶＣ撮像部２２２は、Ｘ軸の左側を基準として上下４５度角度の範囲内（Ｒ）に位置する。したがって、Ｘ軸の左側を基準として上下４５度角度の範囲内（Ｒ）に位置したＤＶＣ撮像部２２２が撮像を行う。
【００３３】
図４は、複合撮像部の回転によって内部の装置が回転される方式を説明するための図面である。図４を参照すると、複合撮影装置において複合撮像部２００に内蔵されたＤＳＣレンズ部２１１は、複合撮像部２００が本体１００に対して回転することに対応して第１同心円（ａ）に沿って回転し、ＤＳＣ撮像部２２１は、ＤＳＣレンズ部２１１と同一線上に位置しているため、ＤＳＣレンズ部２１１が第１同心円（ａ）に沿って回転することに対応して第２同心円（ｂ）に沿って回転する。ＤＳＣレンズ部２１１の反対側に位置したＤＶＣレンズ部２１２は、ＤＳＣレンズ部２１１が第１同心円（ａ）に沿って回転することに対応して第３同心円（ｃ）に沿って回転し、ＤＶＣ撮像部２２２はＤＶＣレンズ部２１２と同一線上に位置するため、ＤＶＣレンズ部２１２が第３同心円（ｃ）に沿って回転することに対応して第４同心円（ｄ）に沿って回転する。
【００３４】
図１及び図２を参照すると、本体１００は複合撮影装置の主体（Ｍａｉｎ  Ｂｏｄｙ）であって、複合撮像部２００及びモード選択スイッチ部３００に備えられる装置を除外した残り装置を内蔵及び用意することができる。図２ではＤＳＣ信号処理部１０１、ＤＶＣ信号処理部１０２、メモリ１２１、磁気テープ１２２、キー入力部１３０、制御部１４０及びディスプレイ部１５０などが本体１００に内蔵及び設けられると示しているが、本発明を実施するにおいて、前記装置は必ず本体１００に備えられなければならないことではなく、本体１００の外部に別に設置されることも可能である。その例として、メモリ１２１、磁気テープ１２２、キー入力部１３０などが外装型である場合を上げることができる。
【００３５】
ＤＳＣ信号処理部１０１は、ＤＳＣ信号処理ブロック１１１及びビデオ信号処理ブロック１８１から構成される。ＤＳＣ信号処理ブロック１１１は、ＤＳＣ撮像部２２１から受信したアナログ画像信号をデジタル画像信号に変換するが、フレーム単位に処理し、ＤＳＣ制御部１４２の制御により色相、色の濃度、明るさ、撮影時のシャッターの速度などを変更できる。ビデオ信号処理ブロック１８１は、ＤＳＣ信号処理ブロック１１１から受信したデジタル画像データをＪＰＥＧフォーマットのデータに圧縮する。ＪＰＥＧフォーマットのデータはメモリ１２１に保存される。
【００３６】
メモリ１２１は、本体１００の内部に設置される内蔵型メモリでもあり、着脱式ＩＣメモリカードでもある。ＩＣメモリカードはカード状の記録媒体の一種であって、ケースには一つまたは複数の半導体メモリを格納し、端部にはインターフェス接続器を具備しているが、記憶容量を拡張するために用いられる。複合撮像装置に用いられるＩＣメモリカードは、格納されたメモリの種類によって区分できるが、ＲＡＭカード、フラッシュメモリカードなどがある。
【００３７】
ＤＶＣ信号処理部１０２は、ＤＶＣ信号処理ブロック１１２及びビデオ／オーディオ信号処理ブロック１８２から構成される。ＤＶＣ信号処理ブロック１１２は、ＤＶＣ撮像部２２２から受信したアナログ画像信号をデジタル画像信号に変換するが、フィールド単位に処理し、メイン制御部１４１の制御により色相、色の濃度、明るさ、撮影時のシャッターの速度などを変更できる。ビデオ／オーディオ信号処理ブロック１８２は、ＤＶＣ信号処理ブロック１１２から受信したデジタル画像データをＤＶフォーマットのデータに圧縮するが、これはＤＶフォーマットが動画データの圧縮に適合した方式であるためである。ＤＶフォーマットの信号は、ＶＣＲデッキ１２４を通して磁気テープ１２２に保存される。
【００３８】
キー入力部１３０には撮影スイッチ（図示せず）が設けられるが、撮影スイッチはＪＰＥＧフォーマットの信号をメモリ１２１に、ＤＶフォーマットの信号を磁気テープ１２２に保存されるようにするための撮影遂行信号をメイン制御部１４１に出力する。すなわち、ユーザが撮像したい画像を選択してキー入力部１３０に設けられた撮影スイッチを押さえると撮像されて、圧縮された信号が記録媒体に保存される。
【００３９】
表示文字発生部１７３は、メイン制御部１４１から制御信号を受けてディスプレイ部１５０の特定位置に特定文字を発生させる機能をする。また、撮影された画像は表示文字発生部１７３から発生された文字と結合されてディスプレイ部１５０に伝送されてディスプレイされるので、ユーザはこれを通じて撮影された画像を確認することができる。
【００４０】
１３９４インターフェス部１９１は、他の外部のデバイスとデータを交換するために用いられ、主にＰＣとインターフェスするのに用いられる。すなわち、撮影されたデジタル画像データは、１３９４インターフェス部１９１を通してＰＣに送られ得るし、反対にＰＣからデジタル画像データを受信して磁気テープ１２２に記録できる。
【００４１】
制御部１４０は、メイン制御部１４１及びＤＳＣ制御部１４２から構成される。メイン制御部１４１は、キー入力部１３０に設けられた撮影スイッチから撮影遂行信号を受信すると、モード選択スイッチ部３００から受信した動作モード信号に基づいて、現在の動作モードがＤＳＣ動作モード及びＤＶＣ動作モードのうちどの動作モードであるかを判断する。ＤＳＣ動作モードと判断される場合、メイン制御部１４１はＤＳＣ制御部１４２を制御し、ＤＳＣ制御部１４２がＤＳＣレンズ駆動部２３１及びＤＳＣ信号処理ブロック１１１を制御するようにする。したがって、ＤＳＣレンズ部２１１を通して結像された光学像がＤＳＣ撮像部２２１で電気的な信号に光電変換され、変換された前記信号はＤＳＣ信号処理ブロック１１１で信号処理ステップを経て、ビデオ信号処理ブロック１８１でＪＰＥＧフォーマットのデータに圧縮され、最終的にメモリ１２１に保存される。一方、ＤＶＣ動作モードと判断される場合、メイン制御部１４１はＤＶＣレンズ駆動部２３２、ＤＶＣ信号処理ブロック１１２、ビデオ／オーディオ信号処理ブロック１８２、及びＶＣＲデッキ駆動部１２３を制御し、ＤＶＣレンズ部２１２を通して結像された光学像がＤＶＣ撮像部２２２で電気的な信号に光電変換され、変換された前記信号はＤＳＣ信号処理ブロック１１２で信号処理ステップを経て、ビデオ信号処理ブロック１８２でＤＶフォーマットのデータに圧縮され、最終的にＶＣＲデッキ１２４を通して磁気テープ１２２に保存される。したがって、ユーザはＤＳＣ及びＤＶＣ撮像部２２１、２２２により撮像された画像信号を保存するために保存媒体を別に設定する必要がないが、これは複合撮影装置は撮像され圧縮された信号が保存される記録媒体を現在の動作モードによって自動的に設定するためである。
【００４２】
図１を参照すると、ディスプレイ部１５０は本体１００に設けられて撮影される画像をディスプレイするビューファインダ１５１と、本体１００に設けられたＬＣＤパネル１５２とを具備する。図２を参照すると、ディスプレイ部１５０は選択された動作モードに関する情報をメイン制御部１４１の制御により動作する表示文字発生部１７３から受信してディスプレイし、ビデオ信号処理ブロック１８１及びビデオ／オーディオ信号処理ブロック１８２から受信した画像をディスプレイする。
【００４３】
図１を参照すると、本体１００の一端部、すなわち、撮影方向（Ｘ）に露出される本体１００の後段部には再生される音響を出力するスピーカー１３と、外部の音響を取得するためのマイク１３２とが各々設けられる。
【００４４】
モード選択スイッチ部３００は、複合撮像部２００と連動して動作するように設置され、複合撮像部２００の位置変更に応じて対応される動作モード信号をメイン制御部１４１に出力する。本実施例では、複合撮像部２００が本体１００に対して回転可能に設置されたため、モード選択スイッチ部３００は複合撮像部２００の回転角度に応じて対応される動作モード信号を出力し、メイン制御部１４１は動作モード信号を受信して現在の動作モードを判断する。
【００４５】
図３Ａに示すように、ＤＳＣレンズ部２１１及びＤＳＣ撮像部２２１がＸの左側を基準として上下４５度角度の範囲内に位置した場合には、モード選択スイッチ部３００がＤＳＣ動作モード信号をメイン制御部１４１に出力し、制御部１４０はＤＳＣ撮像部２２１を作動させ、ＤＶＣ撮像部２２２はオフさせる。一方、図３Ｅに示すように、ＤＶＣレンズ部２１２及びＤＶＣ撮像部２２２がＸ軸の左側を基準として上下４５度角度の範囲内に位置した場合には、モード選択スイッチ部３００がＤＶＣ動作モード信号をメイン制御部１４１に出力し、制御部１４０はＤＶＣ撮像部２２２を作動させ、ＤＳＣ撮像部２２１はオフさせる。
【００４６】
図５ないし図８は、モード選択スイッチ部を説明するための図面である。図５は、図２のモード選択スイッチ部３００の一例である切り替えスイッチを説明するための斜視図である。図５を参照すると、切り替えスイッチは本体１００に設けられた第１及び第２接続パターン１６１、１６２と、前記接続パターン１６１、１６２のうち、いずれか一つと接続されるように複合撮像部２００に設けられた接続端子２３０を含んで構成されることができる。前記構成において、本体１００と複合撮像部２００各々は、孔ｈ１、ｈ２を向き合って相対的に回転可能に結合される。したがって、接続端子２３０は本体１００に対する複合撮像部２００の回転角度に応じて、第１接続パターン１６１、または第２接続パターン１６２に接触される。ここで、第１接続パターン１６１はメイン制御部１４１の第１ポートに接続され、第２接続パターン１６２はメイン制御部１４１の第２ポートに接続される。
【００４７】
図６は、図５に示される切り替えスイッチによりＤＳＣ撮像部２２１が選択された状態を示す図面である。この場合、図６に示すように、接続端子２３０が第１接続パターン１６１に接触されると、すなわち、複合撮像部２００の回転角度が第１範囲（接続端子２３０がＸ軸の左側を基準として上下９０度の範囲内）である場合は、ＤＳＣ撮像部２２１を作動させるためのＤＳＣ動作モード信号である２進信号「１」がメイン制御部１４１の第１ポートに出力され、メイン制御部１４１の第２ポートに２進信号「０」が出力される。したがって、ＤＳＣ撮像部２２１により撮像が行われるＤＳＣ動作モードが選択され、制御部１４０はＤＳＣ撮像部２２１を作動させ、ＤＶＣ撮像部２２２はオフさせる。
【００４８】
また、接続端子２３０が第２接続パターン１６２に接触されると、すなわち、複合撮像部２００の回転角度が第２範囲（接続端子２３０がＡ軸の右側を基準として上下９０度の範囲内）である場合は、前記ＤＶＣ撮像部２２２を作動させるためのＤＶＣ動作モード信号である２進信号「１」がメイン制御部１４１の第２ポートに出力され、メイン制御部１４１の第１ポートに２進信号「０」が出力される。
【００４９】
第１及び第２接続パターン１６１、１６２は、約１８０度の角度上で接続端子２３０と接続できるように設けられる。したがって、複合撮像部２００の本体１００に対する全ての回転角度上でＤＳＣ及びＤＶＣ撮像部２２１、２２２のうち、いずれか一つは作動可能になる。好ましくは、図６において、Ｙ軸を基準として左側に位置される撮像部が駆動され、その位置に含まれる回転角度では全て駆動可能になる。したがって、ＤＳＣ及びＤＶＣ撮像部２２１、２２２は、Ｙ軸を基準として切り替えスイッチによってオン／オフが切り替えられる。
【００５０】
図７は、図１のモード感知部３００の一例であって、切り替えスイッチを説明するための斜視図である。図７に示される切り替えスイッチは、本体１００に設けられた第１及び第２接続パターン１６１、１６２の他に、第３及び第４接続パターン１６３、１６４をさらに備え、前記接続パターン１６１、１６２、１６３、１６４のうち、いずれか一つと接続されるように複合撮像部２００に設けられた接続端子２３０を含んで構成されることができる。したがって、接続端子２３０は本体１００に対する複合撮像部２００の回転角度に応じて、第１ないし第４接続パターン１６１、１６２、１６３、１６４のうち、いずれかに接続される。ここで、第１接続パターン１６１はメイン制御部１４１の第１ポートに接続され、第２接続パターン１６２はメイン制御部１４１の第２ポートに接続され、第３及び第４接続パターン１６３、１６４はメイン制御部１４１のポートと接続されていない。
【００５１】
図８は、図７に示される切り替えスイッチによりいずれの撮像部も選択されない状態を示す図面である。この場合、図８に示すように、接続端子２３０が第３接続パターン１６３に接触されると、すなわち複合撮像部２００の回転角度が第３範囲（接続端子２３０がＹ軸の上側を基準として左右４５度の範囲内）である場合は、メイン制御部１４１のポートに動作モード信号が出力されない。これは、接続端子２３０が第４接続パターン１６４に接触された場合も同じである。したがって、動作モード信号を受信していない場合、制御部１４０は作動中の撮像部をオフにするため、ＤＳＣ及びＤＶＣ撮像部２２１、２２２全てが動作しなくなる。
【００５２】
この場合、第１ないし第４接続パターン１６１、１６２、１６３、１６４が９０度角度間隔に設けられたと仮定すると、接続端子２３０が、Ａ軸の左側を基準として上下４５度角度上に位置するとＤＳＣ撮像部２２１が作動し、Ａ軸の右側を基準として上下４５度角度上に位置するとＤＶＣ撮像部２２２が作動し、Ｙ軸の上側を基準として左右４５度角度上に位置するか、Ｙ軸の下側を基準として左右４５度角度上に位置するといずれの撮像部も作動しない。このように、Ｙ軸を基準として左右４５度角度上で撮像部がオフされるようにしたのは、ユーザがズーム（Ｚｏｏｍ）機能を設定してＤＳＣ及びＤＶＣレンズ部２１１、２１２が複合撮像部２００の外部に突出された状態で複合撮像部２００を回転させる場合、前記レンズ部２２１、２２２が本体１００と衝突されることを防止するためである。
【００５３】
図９は、図２のモード感知部３００のもう一つの例を説明するための図面である。図９を参照すると、複合撮像部２００が本体１００と接触される面にモードスイッチ部３１０が設けられており、モードスイッチ部３１０にはＤＳＣモードスイッチ３１１及びＤＶＣモードスイッチ３１２が設けられている。ＤＳＣモードスイッチ３１１はメイン制御部１４１の第１ポートに接続され、ＤＶＣモードスイッチ３１２はメイン制御部１４１の第２ポートに接続される。複合撮像部２００が本体に対して回転すると、複合撮像部２００に設けられたモードスイッチ部３１０、ＤＳＣモードスイッチ３１１、及びＤＶＣモードスイッチ３１２も共に回転する。
【００５４】
ＤＳＣモードスイッチ３１１はｄ１及びｄ２範囲で回転可能である。ＤＳＣモードスイッチ３１１がｄ１範囲（Ｙ軸の下側を基準として左右４５度）に位置すると、ＤＳＣ撮像部２２１を作動させるためのＤＳＣ動作モード信号である２進信号「１」がメイン制御部１４１の第１ポートに出力され、メイン制御部１４１の第２ポートに２進信号「０」が出力される。一方、ＤＶＣモードスイッチ３１２はｄ３及びｄ４範囲で回転可能である。ＤＶＣモードスイッチ３１２がｄ３範囲（Ｙ軸の下側を基準として左側９０度）に位置すると、ＤＶＣ撮像部２２２を作動させるためのＤＶＣ動作モード信号である２進信号「１」がメイン制御部１４１の第２ポートに出力され、メイン制御部１４１の第１ポートに２進信号「０」が出力される。
【００５５】
図１０は、本発明に係る複合撮影方法を説明するためのフローチャートである。図１０を参照すると、まず、撮影スイッチから画像を撮影して保存するように命令する撮影遂行命令があるか否かを検出する（Ｓ５０１）。Ｓ５０１ステップにおいて、撮影遂行命令が検出されると、メイン制御部１４１はモード選択スイッチ部３００から受信した動作モード信号に基づいて動作モードを判断する（Ｓ５０２）。
【００５６】
Ｓ５０２ステップにおいて、ＤＳＣ動作モードと判断されると、ディスプレイ部１５０は、現在複合撮影装置がＤＳＣ動作モードで作動されているという事実とＤＳＣ動作モードに関する情報をディスプレイしてユーザに知らせる（Ｓ５１１）。また、ＤＳＣ撮像部２２１は、ＤＳＣレンズ部２１１を通して結像した光学像を電気的な信号に光電変換させて、ＤＳＣ信号処理部１０１に伝送する（Ｓ５１２）。ＤＳＣ信号処理部１０１は、前記信号をＪＰＥＧフォーマットの信号に圧縮する（Ｓ５１３）。ＪＰＥＧフォーマットの信号はメモリ１２１に保存される（Ｓ５１４）。
【００５７】
一方、Ｓ５０２ステップにおいて、ＤＶＣ動作モードと判断されると、ディスプレイ部１５０は、現在複合撮影装置がＤＶＣ動作モードで作動されているという事実とＤＶＣ動作モードに関する情報とをディスプレイしてユーザに知らせる（Ｓ５２１）。また、ＤＶＣ撮像部２２２は、ＤＶＣレンズ部２１２を通して結像した光学像を電気的な信号に光電変換させてＤＶＣ信号処理部１０２に伝送する（Ｓ５２２）。ＤＶＣ信号処理部１０２は、前記信号をＤＶフォーマットの信号に圧縮する（Ｓ５２３）。ＤＶフォーマットの信号は、ＶＣＲデッキ１２４を通して磁気テープ１２２に保存される（Ｓ５２４）。
【００５８】
本発明は、上述した特定の実施例に限定されるものではなく、請求の範囲で請求する本発明の要旨を逸脱することなく当該発明の属する技術分野における通常の知識を有するものであれば誰でも各種の変更実施がかのうであることはもとより、そのような変更は、請求の範囲記載の範囲内にあることが自明である。
【産業上の利用可能性】
【００５９】
本発明は、複合撮影装置及び方法に関し、さらに詳細には、各々独立的に駆動される第１及び第２撮像部が撮像した画像をそれに対応する第１及び第２記録媒体に保存する複合撮影装置及び方法に関する。
【図面の簡単な説明】
【００６０】
【図１】本発明の実施例に係る複合撮影装置の斜視図である。
【図２】本発明の実施例に係る複合撮影装置のブロック図である。
【図３Ａ】複合撮像部を説明するための図面である。
【図３Ｂ】複合撮像部を説明するための図面である。
【図３Ｃ】複合撮像部を説明するための図面である。
【図３Ｄ】複合撮像部を説明するための図面である。
【図３Ｅ】複合撮像部を説明するための図面である。
【図４】複合撮像部の回転によって内部の装置らが回転される方式を説明するための図面である。
【図５】モード選択スイッチ部を説明するための図面である。
【図６】モード選択スイッチ部を説明するための図面である。
【図７】モード選択スイッチ部を説明するための図面である。
【図８】モード選択スイッチ部を説明するための図面である。
【図９】モード選択スイッチ部を説明するための図面である。
【図１０】本発明に係る複合撮影方法を説明するためのフローチャートである。
【符号の説明】
【００６１】
１００      本体
１０１      ＤＳＣ信号処理部
１２１      メモリ
１３０      キー入力部
１４０      制御部
１５０      ディスプレイ部
２００      複合撮像部
２１１      ＤＳＣレンズ部
２２１      ＤＳＣ撮像部
３００      モード選択スイッチ部
【図１】
2004350262.tif 000003
【図２】
2004350262.tif 000004
【図３Ａ】
2004350262.tif 000005
【図３Ｂ】
2004350262.tif 000006
【図３Ｃ】
2004350262.tif 000007
【図３Ｄ】
2004350262.tif 000008
【図３Ｅ】
2004350262.tif 000009
【図４】
2004350262.tif 000010
【図５】
2004350262.tif 000011
【図６】
2004350262.tif 000012
【図７】
2004350262.tif 000013
【図８】
2004350262.tif 000014
【図９】
2004350262.tif 000015
【図１０】
2004350262.tif 000016